(57)【要約】【課題】カウンタ一体型埋込水栓を取付壁に取付固定するに際し、作業性良く取付固定できるようにする。【解決手段】カウンタとその下に配置されたカバー１４との間に形成された収納空間内に温調機能部３６，切替機能部３８を含む水栓機構部４０を配管とともに埋め込んで成り、後側の取付壁に取付固定されるカウンタ一体型埋込水栓１０において、上面が開放された形態のカバー１４の内部に水栓機構部４０を配管４８，５０，５２，５６，５８とともに組み付けて水栓ユニット３０を構成し、これを先ず専用のバックハンガ金具６６及びブラケット６０にて取付壁に固定する。次に水栓ユニット３０の左，右両側のカウンタ専用ブラケットにてカウンタをカバー１４の上面を覆う状態に取付壁に固定する。【選択図】        図２
2004150212.tif 000002
【特許請求の範囲】
【請求項１】
カウンタと該カウンタ下に配置されたカバーとの間に形成された収納空間内に、温調機能部，吐水口からの吐水及びシャワーヘッドからの吐水を切り替える切替機能部を含む水栓機構部を配管とともに埋め込んで成り、後側の取付壁に取付固定されるカウンタ一体型埋込水栓であって、
上面が開放された形態の前記カバーの内部に前記水栓機構部を前記配管とともに組み付けて成る水栓ユニットを、水栓ユニット専用固定具にて前記取付壁に固定するようになすとともに、カウンタ専用固定具にて、前記カウンタを前記カバーの上面の開放部を覆う状態に前記取付壁に固定するようになしたことを特徴とするカウンタ一体型埋込水栓。
【請求項２】
請求項１において、前記カウンタと前記カバーとは上下にほぼ接する状態で固定されることを特徴とするカウンタ一体型埋込水栓。
【請求項３】
請求項１，２の何れかにおいて、前記カウンタを前記水栓ユニットよりも左右長が長く、該カウンタが該水栓ユニットよりも左，右方向に長く延出した形態をなすようにするとともに、該水栓ユニットの左，右両側に前記カウンタ専用固定具を配置して該カウンタ専用固定具にて前記カウンタを前記取付壁に固定するようになしたことを特徴とするカウンタ一体型埋込水栓。
【発明の詳細な説明】
【０００１】
【発明の属する技術分野】
この発明は、カウンタとカウンタの下側に配置されたカバーとの間に形成された収納空間内に温調機能部，吐水口からの吐水とシャワーヘッドからの吐水とを切り替える切替機能部を含む水栓機構部を配管とともに収納して成るカウンタ一体型埋込水栓に関する。
【０００２】
【従来の技術】
この種カウンタ一体型埋込水栓として、従来、下記特許文献１に開示されたものが公知である。
図８〜図１０はその具体例を示している。尚この例はカウンタ一体型埋込水栓を浴室の洗い場側に設置した例である。
【０００３】
図８において、２００は浴槽で２０２は洗い場である。
洗い場２０２側には、取付壁Ｗにカウンタ一体型埋込水栓２０４が取付られている。
このカウンタ一体型埋込水栓２０４は、カウンタ２０６とその下側に配置されたカバー２０８との間に形成された収納空間に、温調機能部，切替機能部を含む水栓機構部が給水管２１６，給湯管２１８等の各種配管とともに収納されている。
そしてそれら内部の温調機能部，切替機能部に連結された温調ハンドル（温度調節ハンドル）２１２，切替ハンドル２１４が外部に露出する状態でカバー２０８の前面に取り付けられている。
【０００４】
また温調ハンドル２１２と切替ハンドル２１４との間の位置において、吐水口２１０がカバー２０８から突き出す状態で設けられている。
ここで切替機能部は、切替ハンドル２１４の操作によって吐水口２１０からの吐水とシャワーヘッドからの吐水とを切り替える。
尚２２０は取付壁Ｗから突き出した壁出しの止水栓である。
【０００５】
図９及び図１０は、この例のカウンタ一体型埋込水栓２０４の取付壁Ｗへの取付構造を示したもので、図示のようにここでは多数のバックハンガ金具２２２を取付壁Ｗに対して所定間隔ごとに且つ互いに高さを合わせた上で固定し、そしてカバー２０８を、内部に水栓機構部及び各種配管を収納した状態で多数のブラケット２２４，２２６を介し固定し、更にカウンタ２０６をカバー２０８と共通固定具（バックハンガ金具２２２，ブラケット２２４，２２６）にて取付壁Ｗに取付固定するようにしている。
即ちここではバックハンガ金具２２２，ブラケット２２４，２２６から成る固定具が、水栓機構部，各種配管及びカバー２０８から成る水栓ユニット及びカウンタ２０６の共通固定具として用いられている。
【０００６】
【特許文献１】
特開２０００−３１６７３７号公報
【０００７】
【発明が解決しようとする課題】
しかしながらこの取付構造では、水栓ユニットとカウンタ２０６とを取付壁Ｗに取付固定するための固定具が両者に共通であるため、固定具により固定力ないし支持力を強固とすべく、固定具を左右方向の２箇所以上の複数箇所に亘って配置することが必要で所要部品点数が多くなるとともに、各固定具のバックハンガ金具２２２の全てを正確に対応する高さ位置に合せなければならない面倒がある。
【０００８】
加えて水栓ユニットの取付壁Ｗに対する取付位置（主として高さ位置）とカウンタ２０６の取付位置とをそれぞれ独立に調整することができず、従って例えば一旦水栓ユニットを取付壁Ｗに取付固定した後において、カウンタ２０６を取付壁Ｗに取り付けるに際し、カウンタ２０６の取付位置を水栓ユニットの取付位置に合わせるようにして位置調節するといったことができない不都合があった。
また位置調節作業に多大の手間がかかり、固定具の数が多いことと相俟って取付作業が面倒である問題があった。
【０００９】
【課題を解決するための手段】
本発明のカウンタ一体型埋込水栓はこのような課題を解決するために案出されたものである。
而して請求項１のものは、カウンタと該カウンタ下に配置されたカバーとの間に形成された収納空間内に、温調機能部，吐水口からの吐水及びシャワーヘッドからの吐水を切り替える切替機能部を含む水栓機構部を配管とともに埋め込んで成り、後側の取付壁に取付固定されるカウンタ一体型埋込水栓であって、上面が開放された形態の前記カバーの内部に前記水栓機構部を前記配管とともに組み付けて成る水栓ユニットを、水栓ユニット専用固定具にて前記取付壁に固定するようになすとともに、カウンタ専用固定具にて、前記カウンタを前記カバーの上面の開放部を覆う状態に前記取付壁に固定するようになしたことを特徴とする。
【００１０】
請求項２のものは、請求項１において、前記カウンタと前記カバーとは上下にほぼ接する状態で固定されることを特徴とする。
【００１１】
請求項３のものは、請求項１，２の何れかにおいて、前記カウンタを前記水栓ユニットよりも左右長が長く、該カウンタが該水栓ユニットよりも左，右方向に長く延出した形態をなすようにするとともに、該水栓ユニットの左，右両側に前記カウンタ専用固定具を配置して該カウンタ専用固定具にて前記カウンタを前記取付壁に固定するようになしたことを特徴とする。
【００１２】
【作用及び発明の効果】
以上のように本発明は、水栓ユニット専用固定具にて水栓ユニットを取付壁に固定するとともに、その左，右両側に配置したカウンタ専用固定具にてカウンタをカバーの上面の開放部を覆う状態に取付壁に固定するようになしたもので、このように本発明では水栓ユニットとカウンタとをそれぞれ別々の専用固定具にて取付壁に固定するようになしていることから、水栓ユニット，カウンタを共通固定具にて取付固定する場合に比べ、水栓ユニット専用固定具，カウンタ専用固定具のそれぞれの数を少なくすることができる。
【００１３】
例えば水栓ユニット専用固定具として２つの固定具を用い、それらを水栓ユニットの左右端部の位置の２箇所に配置して、それらにより水栓ユニットを取付壁に取付固定するようにし、また同様に左右２箇所のカウンタ専用固定具にてカウンタを取付壁に取付固定するようになすことが可能となる。
【００１４】
而してこのようにした場合、所要部品点数を少なくすることができるとともに水栓ユニット，カウンタそれぞれの固定作業が極めて簡単となる。
水栓ユニット，カウンタともにそれぞれ２箇所に固定具の位置調整をすれば良いことから、位置調整作業が極めて容易となるのである。
【００１５】
本発明ではまた水栓ユニット，カウンタを取り付けるに際しそれぞれを独立して位置調整することが可能となる。
即ち例えば取付壁に対して水栓ユニットを先に取付固定しておき、そしてその水栓ユニットに対しカウンタの位置を合わせるようにしてこれをカウンタ専用固定具にて取付壁に固定することができ、或いは場合によってその逆の順序でそれぞれの取付壁への固定を行うといったことが可能となる。
【００１６】
これにより、それぞれの取付位置の調整が容易となり、ひいてはカウンタ一体型埋込水栓を良好な外観状態で取付壁に取付固定できる。
また位置調整が容易であることから全体としてカウンタ一体型埋込水栓の取付作業性も向上する。
【００１７】
ここでカウンタとカバーとは上下にほぼ接する状態で固定しておくことができる（請求項２）。
このようにすれば、それぞれを別々に独立して取付壁に固定できる一方で、外観上一体のカウンタ一体型埋込水栓として構成することができる。
【００１８】
請求項３は、カウンタの左右長を水栓ユニットよりも長くして左端側及び右端側を、それぞれ水栓ユニットよりも左側及び右側に長く延出させた上、水栓ユニットの左，右両側に配置したカウンタ専用固定具にてカウンタを取付壁に固定するようになしたもので、このようにすることで、水栓ユニットとカウンタとを、それぞれ別々の専用固定具にて取付壁に容易に固定できるようになる。
【００１９】
【実施例】
次に本発明の実施例を図面に基づいて詳しく説明する。
図１において、１０は本例のカウンタ一体型埋込水栓で、１２はカウンタ、１４はカバーである。
図１から明らかなように、この例ではカウンタ１２はカバー１４よりも左右長が長く、左端側及び右端側がそれぞれカバー１４より左側及び右側に延出した形態をなしている。
【００２０】
１６はカバー１４の左右方向略中央位置においてカバー１４から露出して下向きに突出した吐水口で、１８は吐水口１６の左側にカバー１４から露出してその前面に設けられた温調ハンドル（温度調節ハンドル）、２０は吐水口１６の右側にカバー１４から露出してその前面に設けられた切替ハンドルである。
【００２１】
切替ハンドル２０は、吐水口１６からの吐水と後述のシャワーヘッド２８からの吐水を切替操作する部分である。
この切替ハンドル２０はまた、吐止水及び水量調節のための操作部も兼ねている。
【００２２】
２６はシャワーホースで、その先端にシャワーヘッド２８が接続されている。２２はカバー１４の下面に設けられた点検口で、２４は点検口蓋である。この点検口蓋２４はカバー１４の一部を構成している。
【００２３】
図２に示しているように、カバー１４は前面カバー部３２及び左右一対の側面カバー部３４を有している。
カバー１４は、上記カウンタ１２とともに内部に収納空間を形成しており、その収納空間に温調機能部３６，切替機能部３８を含む水栓機構部４０が各種配管とともに収納されている。
図２中３０は、この収納空間に収納された水栓機構部４０と各種配管及びカバー１４とから成る水栓ユニットを表している。
【００２４】
収納空間にはまた、水側の壁出し止水栓（以下単に止水栓とする）４２及び湯側の壁出し止水栓（以下単に止水栓とする）４４が、温調機能部３６と切替機能部３８との間の位置において収納されている（図３，図４参照）。
これら止水栓４２，４４の下部には回転ハンドル式の操作部５４がそれぞれ設けられていて、それら操作部５４が点検口２２に臨んで位置している。
【００２５】
ここで止水栓４２，４４は縦向きに配置されており、その下部からは後向きに接続管４６がそれぞれ延び出していて、それら接続管４６が、取付壁Ｗの裏側の元管に別の接続管を介して接続されるようになっている。
【００２６】
各止水栓４２，４４の上部からは給水配管４８，給湯配管５０がそれぞれ前方に延び出している。
これら給水配管４８，給湯配管５０は、それぞれ一旦前方に延び出した後、横向きに屈曲して各先端が、図２中右側の温調機能部３６に接続されている。
【００２７】
即ち止水栓４２，４４を経由した水と湯とが、それぞれ温調機能部３６に流入し、そこで温調ハンドル１８の回転操作に基づいて所定比率で混合されるようになっている。
この温調機能部３６と切替機能部３８とは、それらの後側において内部連絡配管５２で接続されており、温調機能部３６からの混合水が切替機能部３８へと導かれる。
【００２８】
切替機能部３８からは配管５６，５８が延び出しており、その一方が上記の吐水口１６に、また他方がカバー１４から突き出した先端部で上記のシャワーホース２６に接続されている。
【００２９】
６６は水栓ユニット３０、具体的にはカバー１４を取付壁Ｗに固定するためのバックハンガ金具で、掛止部６８と固定部７０とを有しており、その固定部７０においてねじ７２により取付壁Ｗに固定されるようになっている。
そしてその掛止部６８に対し、カバー１４に固定のブラケット６０が掛止されるようになっている。
【００３０】
ここでブラケット６０には掛止穴６２が設けられており、その掛止穴６２においてバックハンガ金具６６の掛止部６８に掛止されるようになっている。
尚、ブラケット６０にはその上部に締結孔６４が設けられており、その締結孔６４において、バックハンガ金具６６の上端部の水平な締結片７４とねじにて締結されるようになっている。
ここでバックハンガ金具６６とブラケット６０とは水栓ユニット専用固定具を成している。
【００３１】
図１の点検口蓋２４には、その内面に鏡面状のメッキが施されており、点検口蓋２４を開いた状態で、点検口２２を下から上向きに覗き込まなくても止水栓４２，４４の操作部５４が点検口蓋２４の内面に映るようになっている（点検口蓋２４は後端部を中心として回動可能となっている）。
即ち点検口蓋２４の内面に映った操作部５４を正面から目で見て確認しながら、それら操作部５４を操作することができる。
【００３２】
図５において、７６は水栓ユニット３０の両側に配置されたカウンタ専用ブラケットで、このカウンタ専用ブラケット７６は、Ｖ字状部７６−１とプレート状部７６−２とから成っている。
Ｖ字状部７６−１には左右方向の所定位置且つ複数箇所において切起し片８０が設けられていて、その切起し片８０の前側（拡大図中左側）に係入溝８２が形成されている。
【００３３】
一方図７に示しているようにカウンタ１２には係入片８４が一体に成形されており、その係入片８４が係入溝８２に係入する状態で、カウンタ１２がカウンタ専用ブラケット７６に固定されている。
【００３４】
尚カウンタ１２の固定は、係入片８４を挿通してねじ７８を切起し片８０に形成した雌ねじ孔にねじ込むことで行われる。
またカウンタ専用ブラケット７６の下面には、図６に示しているように樹脂製のブラケットカバー８８が取り付けられている。
【００３５】
本例では、先ずカバー１４内部に水栓機構部４０及び各種配管を組み付けて水栓ユニット３０を構成し、そして予め組み付けた水栓ユニット３０を水栓ユニット専用固定具、つまりバックハンガ金具６６及びブラケット６０にてこれを取付壁Ｗに取付固定する。
その後カウンタ専用ブラケット７６を水栓ユニット３０の左，右両側に配置してこれを取付壁Ｗに固定し、そしてそれらカウンタ専用ブラケット７６にてカウンタ１２を、そのカウンタ１２がカバー１４の上面の開放部を閉鎖する状態に且つ上下にほぼ離間を生ぜしめない状態に取付壁Ｗに固定する。
【００３６】
かかる本例のカウンタ一体型埋込水栓１０は、水栓ユニット専用固定具にて水栓ユニット３０を取付壁Ｗに固定するとともに、その左，右両側に配置したカウンタ専用固定具にてカウンタ１２を取付壁Ｗに固定することから、即ち水栓ユニット３０とカウンタ１２とをそれぞれ別々の専用固定具にて取付壁Ｗに固定することから、それらを取り付けるに際して独立して位置調整を行うことができる。
【００３７】
即ち取付壁Ｗに先に取付固定した水栓ユニット３０に対し、カウンタ１２の位置を合わせるようにしてこれを取付壁Ｗに固定できる。
これによりそれぞれの取付位置の調整が容易となり、ひいてはカウンタ一体型埋込水栓１０を良好な外観状態で取付壁Ｗに取付固定できる。
また位置調整が容易であることから全体としてカウンタ一体型埋込水栓１０の取付作業性も向上する。
【００３８】
ここでカウンタ１２とカバー１４とは上下にほぼ接する状態で固定してあるので、それぞれを別々に独立して取付壁Ｗに固定できる一方で、外観上一体のカウンタ一体型埋込水栓１０として構成することができる。
【００３９】
またカウンタ１２の左右長を水栓ユニット３０よりも長くして左端側及び右端側をそれぞれ水栓ユニット３０よりも左側及び右側に長く延出させてあることから、水栓ユニット３０とカウンタ１２とをそれぞれ別々の水栓ユニット専用固定具（バックハンガ金具６６及びブラケット６０）及びカウンタ専用固定具（ブラケット７６）にて取付壁Ｗに容易に固定できる。
【００４０】
以上本発明の実施例を詳述したがこれはあくまで一例示であり、本発明はその趣旨を逸脱しない範囲において種々変更を加えた形態で構成可能である。
【図面の簡単な説明】
【図１】本発明の一実施例であるカウンタ一体型埋込水栓の正面図である。
【図２】同実施例の水栓におけるカバー内部の構造を後側から見た斜視図である
【図３】同実施例の水栓のカバー内部の構造を示す平面図である。
【図４】同実施例の水栓のカバー内部の構造を示す正面図である。
【図５】同実施例の水栓の取付構造をカウンタを除いた状態で示す図である。
【図６】図５のカウンタ専用ブラケットの下面をブラケットカバーで閉鎖した状態を示す図である。
【図７】同実施例の水栓のカウンタを示す図である。
【図８】従来公知のカウンタ一体型水栓の正面構成及び平面構成で示す図である。
【図９】図８の水栓の取付構造を各部材に分解して示す側面断面図である。
【図１０】図８の水栓の取付構造の要部を示す斜視図である。
【符号の説明】
１０  カウンタ一体型埋込水栓
１２  カウンタ
１４  カバー
３０  水栓ユニット
３６  温調機能部
３８  切替機能部
４０  水栓機構部
４８  給水配管
５０  給湯配管
５２  内部連絡配管
５６，５８  配管
６０  ブラケット（水栓ユニット専用固定具）
６６  バックハンガ金具（水栓ユニット専用固定具）
７６  カウンタ専用ブラケット（カウンタ専用固定具）
Ｗ  取付壁
【図１】
2004150212.tif 000003
【図２】
2004150212.tif 000004
【図３】
2004150212.tif 000005
【図４】
2004150212.tif 000006
【図５】
2004150212.tif 000007
【図６】
2004150212.tif 000008
【図７】
2004150212.tif 000009
【図８】
2004150212.tif 000010
【図９】
2004150212.tif 000011
【図１０】
2004150212.tif 000012